(57)【要約】【課題】  錠を管理する必要がなく、かつ、他の者によって錠が壊されないようにすることができる配送用ボックスの錠機構の提供。【解決手段】  錠５に、発信器型鍵７の信号電波を受信する受信機が備える。発信器型鍵７はボタン電池等で作動し、開ボタンを押すと開信号電波を出し、閉ボタンを押すと閉信号電波を出す。錠５は、この信号電波を受信して錠５のレバー６を動作させ、蓋体３の掛け金４に掛かってロックし掛け金４から外れてアンロックする。配送用ボックス本体２と蓋体３とは電波を通し、外部からは見えない不透明な強化プラスチックで製作する。【選択図】    図２
2008008087.tif 000002
【特許請求の範囲】
【請求項１】
配送品を収納して運搬される移動体に設けられた錠を開閉する配送用ボックスの錠機構であって、
前記配送用ボックスの開閉を行う蓋体の端部と前記配送用ボックスの本体の端部が向き合う位置のボックス内部側に、発信器型鍵から送信される所定の電波によって開閉する錠を設けたことを特徴とする配送用ボックスの錠機構。
【請求項２】
前記錠は内蔵された電源によってモータまたは電磁石で動作するレバーを有し、前記蓋体の端部には前記レバーの動作によってロックしアンロックする掛け金が設けられていることを特徴とする請求項１に記載の配送用ボックスの錠機構。
【請求項３】
前記配送用ボックスと前記蓋体は、前記電波を透過させる部材であって外部からは見えない不透明な部材から構成されていることを特徴とする請求項１に記載の配送用ボックスの錠機構。
【発明の詳細な説明】
【技術分野】
【０００１】
本発明は、配送用ボックスの錠機構に関し、特に、錠を管理する必要がなく、かつ、他の者によって錠が壊されないようにすることができる配送用ボックスの錠機構に関する。
【背景技術】
【０００２】
外食の普及に伴い、例えば、ピザ、寿司、中華料理あるいはイタリア料理等の食料品・調理品の配達のための業務用として三輪原動機付自転車が用いられている。この宅配用の三輪原動機付自転車は、１つの前輪と２つの後輪からなる構造であって、２つの後輪の間に荷台を設け、この荷台の上に宅配品を収納する密閉型の宅配用ボックスを固定する構成であり、この宅配用ボックスに宅配品を収納して注文先まで配達される。
【０００３】
ところで、最近では、更にこのような宅配用ボックスの利便性から、その利用が広がって、銀行の訪問営業の重要書類、宅配便の信書、バイク便による企業の緊急書類、警察の家庭巡回書類等の移動重用品が増えてきており、宅配品用のボックスに限らず、重要な書類等の移動を必要とする様々な分野で配送用ボックスが用いられるようになっている。そして、これらの重用品の安全を図るため、配送用ボックスの蓋に錠を設けることが行われている。
【０００４】
このような配送用ボックスの錠機構の一般例として、特許文献１の段落００２２に示すように、蓋体の後面下部に係止部材を設け、下箱の後面の上部に被係止部材を設け、これら係止部材と被係止部材で錠をする配送用ボックスの錠機構がある。
【０００５】
【特許文献１】特開平９−２０２７６号公報
【発明の開示】
【発明が解決しようとする課題】
【０００６】
しかしながら、従来の配送用ボックスの錠機構によれば、以下のような問題があった。
（１）このような配送用ボックスに用いられる錠は、通常は、機械的な鍵で施錠・開錠を行うものであり、機械的であることから、鍵穴を通じてピッキングなどの手段を用いて壊されやすいという問題があった。
（２）また、機械的な錠は、外部からその位置が判るのでバール等の道具をその位置に差し込んで強引に錠を破壊されやすいという問題があった。
（３）一方、ダイヤル錠を用いて施錠・開錠を行うようにすることも考えられるが、ダイヤル錠は、複数の配送用ボックスにそれぞれ異なる数字の組み合わせを設定しなければならないため、管理が複雑になり間違いが生じやすいという問題があった。
【０００７】
したがって、本発明の目的は、錠を管理する必要がなく、かつ、他の者によって錠が壊されないようにすることができる配送用ボックスの錠機構を提供することにある。
【課題を解決するための手段】
【０００８】
本発明は、上記の目的を達成するため、配送品を収納して運搬される移動体に設けられた錠を開閉する配送用ボックスの錠機構であって、前記配送用ボックスの開閉を行う蓋体の端部と前記配送用ボックスの本体の端部が向き合う位置のボックス内部側に、発信器型鍵から送信される所定の電波によって開閉する錠を設けたことを特徴とする配送用ボックスの錠機構を提供するものである。
【０００９】
以上の構成において、前記錠は内蔵された電源によってモータまたは電磁石で動作するレバーを有し、前記蓋体の端部には前記レバーの動作によってロックしアンロックする掛け金が設けられていることが望ましい。
【００１０】
また、前記配送用ボックスと前記蓋体は、前記電波を透過させる部材であって外部からは見えない不透明な部材から構成されていることが望ましい。
【発明の効果】
【００１１】
以上説明したとおり、本発明の宅配用ボックスの錠機構によれば、配送品を収納して運搬される移動体に設けられた錠を開閉する配送用ボックスの錠機構であって、前記配送用ボックスの開閉を行う蓋体の端部と前記配送用ボックスの本体の端部が向き合う位置のボックス内部側に、発信器型鍵から送信される所定の電波によって開閉する錠を設けるようにしたので、配送用ボックスと蓋体はロックされているが、錠が外から見えないため壊されにくい。そのため、重要品を運ぶ運転者、重要品を委託する顧客の双方から安心感が得られるようになる。また、鍵の管理等をする必要もないので保管・管理の繁雑さが解消される。
【発明を実施するための最良の形態】
【００１２】
以下、添付図面を参照しながら、本発明の実施の形態に係る配送用ボックスの錠機構を詳細に説明する。
図１は、本発明の実施の形態に係る宅配用ボックスの錠機構が適用される配送用の三輪原動機付自転車の外観を示す図である。
図に示すように、この配送用の三輪原動機付自転車は、１つの前輪と２つの後輪からなる三輪原動機付自転車本体１と、この２つの後輪の間に設けられた荷台の上に固定される密閉型の配送用ボックス本体２と、からなる構成である。この配送用の三輪原動機付自転車は、通常はバッテリーによって自転車をアシストするモータが駆動されている。
【００１３】
以上の構成は、従来の配送用の三輪原動機付自転車の構成とほぼ同じであり変わるところはない。本発明では、この配送用ボックス２の錠機構として発信器型鍵とその鍵に基づいて施錠・開錠を行う錠を用いる点に特徴がある。
【００１４】
図２及び図３は、この発信器型鍵とその鍵に基づいて施錠・開錠を行う錠が設けられた配送ボックス本体２の断面図であり、図２は蓋体が施錠された状態を示し、図３は蓋体が開錠された状態を示す図である。
図に示すように、配送用ボックス本体２と蓋体３は、蓋体３が閉まっているとき、お互いの端部が重なるようにして、外から隙間が見えない構造となっている。
そして、この配送用ボックス本体２の下部の内側には、レバー６を有する錠５が固定されており、配送用ボックス本体２の上部には蝶番等を介して蓋体３が開閉可能に接続されている。錠５のレバー６は、内蔵の電池によってモータまたは電磁石で動作する。
【００１５】
一方、この蓋体３の内側の最下部には掛け金４が固定されている。この掛け金４は、蓋体３が閉まっているとき、配送用ボックス本体２と蓋体３の隙間から見えない位置に設けられるものであって、配送ボックス本体２の下部内側に設けられた錠５のレバー６と向かい合って設けられる。
【００１６】
この錠５には、発信器型鍵７の信号電波を受信する受信機が備えられている。発信器型鍵７はボタン電池等で作動し、開ボタンを押すと開信号電波を出し、閉ボタンを押すと閉信号電波を出す。錠５は、この信号電波を受信して錠５のレバー６が動作させ、蓋体３の掛け金４にかかってロックし掛け金４から外れてアンロックする。このため、配送用ボックス本体２と蓋体３とは電波を通し、外部からは見えない不透明な強化プラスチックで製作するのが望ましい。
【００１７】
以下、本発明の実施の形態に係る配送用ボックスの錠機構の動作を図２及び図３に基づいて説明する。
まず、客先に書類等の重要品を届ける場合、三輪原動機付自転車を所定の場所で停止させ、図３に示すように、発信器型鍵７の開ボタンを押し、錠５のレバー６を動作させ、蓋体３の掛け金４からレバー６が外れることにより開錠させ、蓋体３を手動で開けて配送に必要なボックス内の収納品を取り出す。
【００１８】
ボックス内には他の重要品が残っている場合もありうるので、図２に示すように、蓋体３を手動で閉めて蓋体３と配送用ボックス本体２の端部が互いに重なった状態で発信器型鍵７の閉ボタンを押す。すると、錠５のレバー６が動作し、錠５のレバー６が蓋体３の掛け金４にかかって施錠する。
【００１９】
このとき、配送用ボックス本体２の内部で施錠が行われるため、また、これらの錠５のレバー６と蓋体３の掛け金４は、配送用ボックス本体２と蓋体３の端部が重なった状態では、隙間から見えない位置に設けられているので、外部からその位置が判明できず、よって、バール等の道具によって強引に錠が破壊されることもない。なお、蓋体３が閉まっている状態で、書類等の重要品を収納したい場合は、この逆の動作をすれば良い。
【００２０】
以上述べたように、本実施の形態に係る配送用ボックスの錠機構によれば、蓋体を有し配送品を収納する配送用ボックスにおいて、錠の場所を不明にする電波開閉錠をボックスの内側に設け、錠のレバーと蓋体の内側に設けた掛け金が発信器型鍵の電波によって掛かったり外れたりするようにしたので、錠が外部から破壊されることがなくなり、その結果、ボックス内に収納された重要品の安全を図ることができるようになった。したがって、例えば、銀行の訪問営業の重要書類、宅配便の信書、バイク便による企業の緊急書類、警察の家庭巡回書類等の移動重用品をボックス内に収納した状態で三輪原動機付自転車から離れても、錠の破壊による盗難を防止することが可能となった。
【００２１】
なお、本実施の形態では、三輪原動機付自転車に設けられた配送用ボックスを例にとって説明したが、これに限られるものではなく、例えば、書類や物品等を収納して移動する移動体に設けられたボックスであればいずれにも適用可能である。更に敷衍するならば、アッタッシュケース等の鍵の開錠・施錠等にも本発明を適用することができる。
【００２２】
また、本実施の形態では、発信器型鍵のボタン操作によって状の開閉を行うようにしているが、これに限られるものではなく、例えば、錠に所定の携帯電話の電波を受信する受信装置を設けておき、受信した当該携帯電話の番号をキーとして鍵の施錠開錠を行うようにしても良い。
【図面の簡単な説明】
【００２３】
【図１】本発明の実施の形態に係る宅配用ボックスの錠機構が適用される配送用の三輪原動機付自転車の外観を示す図である。
【図２】発信器型鍵とその鍵に基づいて施錠・開錠を行う錠が設けられた配送ボックス本体の断面図であり、蓋体が施錠された状態を示す図である。
【図３】発信器型鍵とその鍵に基づいて施錠・開錠を行う錠が設けられた配送ボックス本体２の断面図であり、蓋体が開錠された状態を示す図である。
【符号の説明】
【００２４】
１    三輪原動機付自転車
２    配送用ボックス本体
３    蓋体
４    掛け金
５    錠
６    レバー
７    発信器型鍵
【図１】
2008008087.tif 000003
【図２】
2008008087.tif 000004
【図３】
2008008087.tif 000005